(57)【要約】【課題】従来の紙製の家庭用薄葉紙収納箱カバーは、家庭用薄葉紙の取り出し口側からかぶせる形のカバーで、ティシュボックスの掛縁に係止めをつけていたが、家庭用薄葉紙を強く引っ張った際に、カバーが外れる問題があった。【解決手段】開口部を横に設け、開口部１ｆに折り返し部１０ｃ、２０ｃ、３０ａ、３０ｂを有し、家庭用薄葉紙収納箱が抜けにくくしている。また、１０ｃには折り返しロック部４０と３０ａ、３０ｂには段差部があり、相互に係合することで、折り返し部１０ｃの折り返しを強化している。また、面取り部３を備え、本棚に収納した際に取り出しやすい工夫を施している。第一壁面部１ａの内側にフィルムフィルムシート１００を備え、家庭用薄葉紙収納箱の取り出し口にフィルムを不要としている。また、表面加工し美観を高めた紙製の家庭用薄葉紙収納箱用カバーとして製品化が可能である。【選択図】図２
2008213889.tif 000002
【特許請求の範囲】
【請求項１】
家庭用薄葉紙を取り出すための取り出し口を有する第一壁面部と、
その第一壁面部に対向する位置に配置された第二壁面部と、
前記第一壁面部と前記第二壁面部の短辺に連なる第三壁面部と、
前記第一側面部と前記第二壁面部の短辺に連なり、前記第三壁面部に対向する位置に配置された第四壁面部と、
前記第一壁面部と前記第三壁面部の長辺に連なる第五壁面部と、を備え、
前記第一壁面部ないし前記第五壁面部によって家庭用薄葉紙収納箱を収納可能に収納部が形成され、さらに前記家庭用薄葉紙収納箱を出し入れ可能に、前記第五壁面部と対向する位置に開口部が形成された家庭用薄葉紙収納箱用カバー。
【請求項２】
前記第一壁面部と前記第五壁面部とによって形成される第一稜線上、及び前記第二壁面部と前記第五壁面部とによって形成される第二稜線上の少なくともいずれか一方に、当該家庭用薄葉紙収納箱用カバーを把持するための面取り部を備える請求項１に記載の家庭用薄葉紙収納箱用カバー。
【請求項３】
前記面取り部は、前記収納部の内側に窪んだ凹状に形成された請求項２に記載の家庭用薄葉紙収納箱用カバー。
【請求項４】
前記面取り部は、前記第一稜線及び前記第二稜線の少なくともいずれか一方の、一端から他端までを切り取る形状の曲面部として形成された請求項３に記載の家庭用薄葉紙収納箱用カバー。
【請求項５】
前記面取り部は、前記第一稜線及び前記第二稜線の一端から他端までの長さと前記曲面部の幅で最も長い部分の長さとの比が、２５：１〜３である請求項４に記載の家庭用薄葉紙収納箱用カバー。
【請求項６】
前記第一壁面部と前記第二壁面部の両方に、家庭用薄葉紙の取り出し口を有する請求項１〜５に記載の家庭用薄葉紙収納用カバー。
【請求項７】
前記第一壁面部、前記第二壁面部、前記第三壁面部、及び前記第四壁面部の前記開口部を形成する開口部側辺部の少なくともいずれかに、前記家庭用薄葉紙収納箱の脱落防止のための、前記収納部へと折り返された折り返し部が連なって形成された請求項１〜６のいずれか１項に記載の家庭用薄葉紙収納箱用カバー。
【請求項８】
前記第一壁面部に連なる前記折り返し部に、前記第一壁面部と前記折り返し部との境界の折り曲げ線に並んで、さらに前記折り曲げ部を折り曲げるための補助折り曲げ線部が形成された請求項７に記載の家庭用薄葉紙収納箱用カバー。
【請求項９】
前記第三壁面部に連なる第三折り返し部、前記第四壁面部に連なる第四折り返し部の前記第一壁面部側端部に段差部が設けられ、前記第一壁面部に連なる第一折り返し部の前記第三壁面部側端部と前記第四壁面部側端部に前記段差部に係合して、前記第一折り返し部の折り返しをロックするロック部が設けられた請求項８に記載の家庭用薄葉紙収納箱用カバー。
【請求項１０】
前記第一壁面部及び前記第二壁面部の少なくともいずれかの内側が前記家庭用薄葉紙収納箱を押圧して前記家庭用薄葉紙収納箱内の家庭用薄葉紙のずれを防止するための押圧部として形成された請求項１〜９のいずれか１項に記載の家庭用薄葉紙収納箱用カバー。
【請求項１１】
前記家庭用薄葉紙の取り出し口となるスリットが設けられ、前記家庭用薄葉紙を保護するスリット付きフィルム部を別体として前記収納部内に備える請求項１〜１０のいずれか１項に記載の家庭用薄葉紙収納箱用カバー。
【請求項１２】
取り出し口が設けられた樹脂製のシートを別体として前記収納部に備える請求項１〜１０のいずれか１項に記載の家庭用薄葉紙収納箱用カバー。
【請求項１３】
素材として紙、布、皮及び合成皮革のいずれかを用いて作製される請求項１〜６のいずれか１項に記載の家庭用薄葉紙収納箱用カバー。
【発明の詳細な説明】
【技術分野】
【０００１】
本発明は、家庭用薄葉紙収納箱をカバーする家庭用薄葉紙収納箱用のカバーに関するものである。
【背景技術】
【０００２】
従来、家庭用薄葉紙収納箱は、紙製のボックス内にティシュペーパーが折り畳まれて収容されており、そのティシュペーパーを取り出し口から一枚ずつ引き出すことが出来るようになっている。従来のティシュパーパーボックスは、大量生産であるがために、表面の模様や施飾が画一的であり、美観を重視したものはあっても、消費者の趣向を満足させるものではなかった。そのため、紙によるティシュボックス用のカバーが開示され（特許文献１〜特許文献５を参照）、紙製のティシュボックスカバーが市販されるようになった。
【０００３】
また、従来の紙製ティシュボックスカバーは、ティシュペーパーの取り出し口のある面からかぶせるものが多く（特許文献１〜特許文献５を参照）、ティシュペーパーの取り出しと同時にカバーが外れないように、ボックスの左右の側面にある掛縁に係止めのつめを引っ掛ける工夫がなされていた（特許文献１〜特許文献３を参照）。しかし、これだけの仕組みでは、ティシュペーパーを強く引き出した際に、カバーが外れる問題や、ティシュボックスを持ち上げたときに、カバーが外れる問題があった。
【０００４】
弾性力を備えた布製のティシュボックスカバーで、ティシュの引出口を凹凸状に形成することにより、ティシュペーパーの枚数が少なくなっても確実に引出口にティシュが保持されるカバーが開示された（特許文献６を参照）。
【０００５】
また、ティシュボックスを必要とせず、ティシュのみを詰め替えて繰り返し使用するティシュ製品カバーが開示されたが（特許文献７）、市販されるティシュの大半は箱入りのティシュであり、ここで開示されたティシュカバーを使用するには、箱に入っていないティシュを購入するか、箱からティシュを移し変えて使用するという手間がかかっていた（特許文献７を参照）。
【０００６】
【特許文献１】特開平１０−２３４６１６号公報
【特許文献２】実用新案登録第３０４３３４６号公報
【特許文献３】実用新案登録第３０４４４５９号公報
【特許文献４】実用新案登録第３０７４８３９号公報
【特許文献５】実用新案登録第３１０３５４６号公報
【特許文献６】特開２００４−１１５１１５号公報
【特許文献７】特開２０００−３３９７８号公報
【発明の開示】
【発明が解決しようとする課題】
【０００７】
従来の紙製の家庭用薄葉紙収納箱カバーは、家庭用薄葉紙の取り出し口側からかぶせるカバーで、家庭用薄葉紙収納箱の掛縁に係止めをつけていたが、家庭用薄葉紙を強く引っ張った際に、カバーが外れる問題があった。また、今までのカバーでは、ボックスの底面がカバーされておらず、家庭用薄葉紙収納箱を横置きにするしかなかった。また、従来の家庭用薄葉紙収納箱用カバーは、家庭用薄葉紙収納箱の取り出し口に樹脂製のフィルムを必要とし、使用後に廃棄する際、分別等の手間が掛かっていた。
【０００８】
本発明の課題は、立てて使用できる家庭用薄葉紙収納箱用カバーを提供するとともに、家庭用薄葉紙収納箱にフィルムを必要としない家庭用薄葉紙収納箱用カバーを提供することにある。
【課題を解決するための手段】
【０００９】
上記課題を達成するため、本発明者は狭いスペースを有効利用するために、立てて使用できる紙製の家庭用薄葉紙収納箱用カバーを発明し、併せて家庭用薄葉紙収納箱の取り出し口に備わるフィルムを必要としない家庭用薄葉紙収納箱用カバーを発明した。本発明により以下の家庭用薄葉紙収納箱用カバーが提供される。
【００１０】
［１］家庭用薄葉紙を取り出すための取り出し口を有する第一壁面部と、その第一壁面部に対向する位置に配置された第二壁面部と、前記第一壁面部と前記第二壁面部の短辺に連なる第三壁面部と、前記第一側面部と前記第二壁面部の短辺に連なり、前記第三壁面部に対向する位置に配置された第四壁面部と、前記第一壁面部と前記第三壁面部の長辺に連なる第五壁面部と、を備え、前記第一壁面部ないし前記第五壁面部によって家庭用薄葉紙ボックスを収納可能に収納部が形成され、さらに前記家庭用薄葉紙収納箱を出し入れ可能に、前記第五壁面部と対向する位置に開口部が形成された家庭用薄葉紙収納箱用カバー。
【００１１】
［２］前記第一壁面部と前記第五壁面部とによって形成される第一稜線上、及び前記第二壁面部と前記第五壁面部とによって形成される第二稜線上の少なくともいずれか一方に、当該家庭用薄葉紙収納箱用カバーを把持するための面取り部を備える前記［１］に記載の家庭用薄葉紙収納箱用カバー。
【００１２】
［３］前記面取り部は、前記収納部の内側に窪んだ凹状に形成された前記［２］に記載の家庭用薄葉紙収納箱用カバー。
【００１３】
［４］前記面取り部は、前記第一稜線及び前記第二稜線の少なくともいずれか一方の、一端から他端までを切り取る形状の曲面部として形成された前記［３］に記載の家庭用薄葉紙収納箱用カバー。
【００１４】
［５］前記面取り部は、前記第一稜線及び前記第二稜線の一端から他端までの長さと前記曲面部の幅で最も長い部分の長さとの比が、２５：１〜３である前記［４］に記載の家庭用薄葉紙収納箱用カバー。
【００１５】
［６］前記第一壁面部と前記第二壁面部の両方に、家庭用薄葉紙の取り出し口を有する前記［１］〜［５］に記載の家庭用薄葉紙収納用カバー。
【００１６】
［７］前記第一壁面部、前記第二壁面部、前記第三壁面部、及び前記第四壁面部の前記開口部を形成する開口部側辺部の少なくともいずれかに、前記家庭用薄葉紙収納箱の脱落防止のための、前記収納部へと折り返された折り返し部が連なって形成された前記［１］〜［６］のいずれか１項に記載の家庭用薄葉紙収納箱用カバー。
【００１７】
［８］前記第一壁面部に連なる前記折り返し部に、前記第一壁面部と前記折り返し部との境界の折り曲げ線に並んで、さらに前記折り曲げ部を折り曲げるための補助折り曲げ線部（リード罫線部）が形成された前記［７］に記載の家庭用薄葉紙収納箱用カバー。
【００１８】
［９］前記第三壁面部に連なる第三折り返し部、前記第四壁面部に連なる第四折り返し部の前記第一壁面部側端部に段差部が設けられ、前記第一壁面部に連なる第一折り返し部の前記第三壁面部側端部と前記第四壁面部側端部に前記段差部に係合して、前記第一折り返し部の折り返しをロックするロック部が設けられた前記［８］に記載の家庭用薄葉紙収納箱用カバー。
【００１９】
［１０］前記第一壁面部及び前記第二壁面部の少なくともいずれかの内側が前記家庭用薄葉紙収納箱を押圧して前記家庭用薄葉紙収納箱内の家庭用薄葉紙のずれを防止するための押圧部として形成された前記［１］〜［９］のいずれか１項に記載の家庭用薄葉紙収納箱用カバー。
【００２０】
［１１］前記家庭用薄葉紙の取り出し口となるスリットが設けられ、前記家庭用薄葉紙を保護するフィルム部を別体として前記収納部内に備える前記［１］〜［１０］のいずれか１項に記載の家庭用薄葉紙収納箱用カバー。
【００２１】
［１２］取り出し口が設けられた樹脂製のシートを別体として前記収納部に備える前記［１］〜［１０］のいずれか１項に記載の家庭用薄葉紙収納箱用カバー。
【００２２】
［１３］素材として紙、布、皮及び合成皮革のいずれかを用いて作製される前記［１］〜［６］のいずれか１項に記載の家庭用薄葉紙収納箱用カバー。
【発明の効果】
【００２３】
ティシュを取り出すための取り出し口を有する第一壁面部と、その第一壁面部に対向する位置に配置された第二壁面部と、第一壁面部と第二壁面部の短辺に連なる第三壁面部と、その第三壁面部に対向する位置に配置された第四壁面部と、第一壁面部と第三壁面部の長辺に連なる第五壁面部とを備え、第一壁面部ないし第五壁面部によって家庭用薄葉紙収納箱を収納可能にする収納部が形成され、さらに家庭用薄葉紙収納箱を出し入れ可能にするため、第五壁面部と対向する位置に開口部が形成された家庭用薄葉紙収納箱用カバーとすることで、家庭用薄葉紙収納箱を容易に収納するカバーができた。
【００２４】
第一壁面部と第五壁面部とによって形成される第一稜線上、及び第二壁面部と第五壁面部とによって形成される第二稜線上の少なくともいずれか一方に、当該家庭用薄葉紙収納箱用カバーを把持するための面取り部を備えることで、ブックエンドの中や本棚に当該家庭用薄葉紙収納箱用カバーが収納された場合でも、取り出しやすいようになった。
【００２５】
面取り部は、収納部の内側に窪んだ凹状に形成すると把持しやすい。凹状部分の大きさは好みにより変化できる。
【００２６】
面取り部は、第一稜線及び第二稜線の少なくともいずれか一方の、一端から他端までを切り取る形状の曲面部として形成されてもよい。このように面取り部を形成すると、本棚などに家庭用薄葉紙収納箱用カバーが収納された場合でも、容易に取出すことができる。
【００２７】
第一壁面部、第二壁面部、第三壁面部、及び第四壁面部の開口部を形成する開口部側辺部の少なくともいずれかに、収納部へと折り返された家庭用薄葉紙収納箱の脱落防止のための折り返し部が連なって形成されたことで、当該家庭用薄葉紙収納箱用カバーからの家庭用薄葉紙収納箱の脱落を防止することができる。
【００２８】
第一壁面部及び第二壁面部の少なくともいずれかの内側が前記家庭用薄葉紙収納箱を押圧して家庭用薄葉紙収納箱内の家庭用薄葉紙のずれを防止するための押圧部として形成されたことで、家庭用薄葉紙がボックス内にきちんと収まり、立てた状態でも家庭用薄葉紙が取り出しやすい。
【００２９】
第一壁面部の前記取り出し口よりも小さく、家庭用薄葉紙の取り出し口となるとともに家庭用薄葉紙収納箱の保護フィルムを保護するための取り出し口が形成された、弾性変形可能な板状部材を収納部の第一壁面部に備えることで、家庭用薄葉紙収納箱に備わっているフィルムの破損を防ぎ、家庭用薄葉紙を取り出しやすいようにしている。
【発明を実施するための最良の形態】
【００３０】
以下、本発明の実施の形態について説明するが、本発明は以下の実施の形態に限定されるものではなく、発明の範囲を逸脱しない限りにおいて、変更、修正、改良を加え得るものである。以下の説明は紙を素材として用いた場合で説明する。
【００３１】
本明細書において、家庭用薄葉紙とは、ティシュペーパー（顔ふき紙、化粧紙などと呼ばれるもの）、ちり紙、ペーパータオル（キッチンペーパーなど）、トイレットペーパー（ロールを除く）、ワッティング（紙綿）などの使い捨て紙を総称する概念である。
【００３２】
図１に示すように、本発明の家庭用薄葉紙収納箱用カバー８０は、取り出し口２を有する第一壁面部１ａ、第二壁面部１ｂ、第三壁面部１ｃ、第四壁面部１ｄ、第五壁面部１ｅ及び開口部１ｆから構成され、開口部１ｆから家庭用薄葉紙収納箱を出し入れする家庭用薄葉紙収納箱用カバーである。
【００３３】
第一壁面部１ａと第五壁面部１ｅとによって形成される第一稜線上、及び第二壁面部１ｂと第五壁面部１ｅとによって形成される第二稜線上の少なくともいずれか一方に、当該家庭用薄葉紙収納箱用カバーを把持するための面取り部３を備えることで、ブックエンドの中や本棚に当該家庭用薄葉紙収納箱用カバーが収納された場合でも、取り出しやすいようにしている。
【００３４】
面取り部３は、収納部の内側に窪んだ凹状に形成された形をしており、凹状部分の大きさは好みにより変化できる。指が入る穴として形成してもよいし、凹状部分を第一稜線と第二稜線の片方だけに形成してもよく、第一稜線上と第二稜線上の位置に関係なく、大きさも任意に形成してもよい。
【００３５】
第一壁面部１ａ、第二壁面部１ｂ、第三壁面部１ｃ、及び第四壁面部１ｄの開口部１ｆを形成する開口部側辺部の少なくともいずれかに、収納部へと折り返された家庭用薄葉紙収納箱の脱落防止のための折り返し部１０ｃ、２０ｃ、３０ａ、３０ｂが連なって形成されたことで（図２参照）、当該家庭用薄葉紙収納箱用カバーからの家庭用薄葉紙収納箱の脱落を防止している。折り返し部１０ｃ、２０ｃ、３０ａ、３０ｂは、いずれか一辺だけでもよいが、二辺あるほうがより脱落を防止でき、四辺にあれば更に脱落を防止できる。また第一折り返し部である折り返し部１０ｃには、凸状で第三折り返し部の折り返し部３０ａと第四折り返し部の折り返し部３０ｂに備わる段差部３１と係合する折り返しロック部４０を備え、折り返しロック部４０と段差部３０が係合することにより折り返しを固持する（図７参照）。また、折り返し部１０ｃには、フィルムシート１００を取出す際に指を掛けるフィルムシート取り出し時指掛け部５０を備えて、フィルムシート１００を交換するときに折り返しを戻しやすくしている。
【００３６】
第一折り返し部の折り返し部１０ｃには、折り返しロック部４０が備わり、第三折り返し部の折り返し部３０ａと第四折り返し部の折り返し部３０ｂには、段差部３０が備わっている。折り返し部１０ｃ、３０ａ及び３０ｂを折り返した際に、折り返しロック部４０と段差部３１が係合し、折り返し部１０ｃの折り返しが固持できるようになっている。
【００３７】
第一壁面部１ａ及び第二壁面部１ｂの内側が家庭用薄葉紙収納箱６０を押圧して家庭用薄葉紙収納箱内の家庭用薄葉紙のずれを防止するための押圧部として形成されている。このため、家庭用薄葉紙がボックス内にきちんと収まり、立てた状態でも家庭用薄葉紙を取り出しやすくなっている。この効果により、当該家庭用薄葉紙収納箱用カバーを備えた家庭用薄葉紙収納箱をブックエンドの中や本棚に立てて収納が可能であり、机の上に置かれていた家庭用薄葉紙収納箱を本棚に収納することで、机の上が広く使えるようになる。
【００３８】
図２に本発明の家庭用薄葉紙収納箱用カバー８０の展開図を示す。本発明の家庭用薄葉紙収納箱用カバー８０は、紙製で、一枚の紙から加工して作製される。表面は、美観を高めるため、光沢や艶消し、エンボス加工、和紙素材、布素材、模様等を施すことが可能である。第一壁面部１ａ、第二壁面部１ｂ、第三壁面部１ｃ、第四壁面部１ｄ及び第五壁面部１ｅに加え、第一壁面部１ａと第五壁面部１ｅとの第一稜線部分と第二壁面部1ｂと第五壁面部１ｅとの第二稜線部分に面取り部３を備える。第一壁面部１ａには、糊付け部１０ａ、１０ｂ、折り返し部１０ｃが備えられ、第二壁面部１ｂには、糊付け部２０ａ、２０ｂと折り返し部２０ｃを備える。第三壁面部１ｃには折り返し部３０ａを、第四壁面部には折り返し部３０ｂを備える。折り返し部２０ｃ、３０ａ及び３０ｂには糊付け部分があり、折り返して接着するようになっている。また、折り返し部１０ｃには、折り返し部分を固持する折り返し部ロック部４０、リード罫線部４１があり、フィルムシート１００を取出す際に折り返し部１０ｃを引き出しやすくするフィルムシート取り出し時指掛け部５０を備える。
【００３９】
折り返し部１０ｃには折り返される折り曲げ線４５とその折り曲げ線４５から離れた位置に折り曲げ線４５と並んで平行に、補助折り曲げ線部であるリード罫線部４１が形成されており、リード罫線部４１は、ミシン目４１ａにより構成される。このリード罫線部４１を備えることにより、折り返し部１０ｃを折り曲げた際に、折り返し部分に厚みができ、フィルムシート１００が収納されやすくなっている。ミシン目４１ａは、刃を貫通させてもよいし、素材の厚さの途中まで入れてもよい。最良のミシン目の入れ方は、素材の厚さの中心部まで切れ込みを入れる入れ方である。
【００４０】
また、図３に折り返し部の断面図を示す。本発明の家庭用薄葉紙収納箱用カバー８０は、開口部１ｆの四辺に折り返し部１０ｃ、２０ｃ、３０ａ、３０ｂを持ち、組み立てて家庭用薄葉紙収納箱６０を入れた際、不用意に家庭用薄葉紙収納箱６０が、カバーから脱落することを防止している。
【００４１】
図４に開口部１ｆ側から見た本発明の家庭用薄葉紙収納箱用カバー８０の図を示す。開口部１ｆの四辺には折り返し部１０ｃ、２０ｃ、３０ａ、３０ｂがあり、折り返し部１０ｃには、折り返しを補強する折り返し部ロック部４０が備わっており、フィルムシート１００を取り出しやすいようにするフィルムシート取り出し時指掛け部５０も備えている。第一壁面部１ａには取り出し口２を有し、第一壁面部１ａと第五壁面部１ｅ、第二壁面部１ｂと第五壁面部１ｅとの稜線上には面取り部３が備わっている。この面取り部３を有することにより、本発明のカバー１を備えた家庭用薄葉紙収納箱をブックエンドの中や本棚に収納した場合に、本の間にある家庭用薄葉紙収納箱を取り出しやすいようにしている。
【００４２】
図５に第五壁面部１ｅ側から見た家庭用薄葉紙収納箱用カバー８０の図を示す。面取り部３が第一壁面部１ａと第五壁面部１ｅの第一稜線上、第二壁面部１ｂと第五壁面部１ｅの第二稜線上に備わっており、上部の第一壁面部１ａには、家庭用薄葉紙を取出す、取り出し口２を備えている。
【００４３】
引き出しつまみ部３は、長辺の長さと凹部の最長部の長さの比が、２５：１〜３になるように作成すると、本発明の家庭用薄葉紙収納箱用カバー８０を組み立てる際に、より組み立てやすくでき、比を２５：２とすると更に組み立てやすくなる。
【００４４】
図６にフィルムシート１００の図を示す。家庭用薄葉紙収納箱の取り出し口に通常備わっているフィルムの替わりとしてフィルムシート１００が存在する。フィルムシート１００は、紙製枠７３にフィルム部７２が備わっており、家庭用薄葉紙を取出す取り出し口２を備え、紙製枠７３の長辺の一辺は、本発明の家庭用薄葉紙収納箱用カバー８０の面取り部３に合うように、面取り部用カーブ部７０を備えている。フィルム部７２の取り出し口２の部分には、家庭用薄葉紙を取り出し、且つ家庭用薄葉紙から出る粉塵を家庭用薄葉紙収納箱用カバー内に留めるスリット７１が備わっている。
【００４５】
フィルムシート１００を用いることにより、家庭用薄葉紙収納箱の取り出し口にフィルムを必要とせず、また、フィルムシート１００を廃棄する際も従来のように家庭用薄葉紙収納箱の内部にあるフィルムを剥がす必要がなく、紙製枠７３から簡単にフィルム部７２を剥がすことができ、ごみの分別が容易になる。
【００４６】
図８にフィルムシート１００とは異なる実施形態のシート１０１の図を示す。シート１０１は、フィルムシート１００とは異なりスリット付きフィルムを備えず、ポリエチレンテレフタレート（ＰＥＴ）等の高分子化合物等で作製され、取り出し口２を中央部に備え、家庭用薄葉紙を取り出せるように作製される。シート１０１は、薄いシート状であれば、高分子化合物以外にセラミック、ガラス、木等で作製してもよい。また、キャラクター、花柄、郷土玩具などの模様をシート１０１に印刷することにより、趣向性を高めることができる。シート１０１を備えることにより、家庭用薄葉紙を取り出す際に、家庭用薄葉紙収納箱をしっかりと押さえ、家庭用薄葉紙を取り出しやすくしている。
【００４７】
フィルム部材を、抗菌、芳香、及び脱臭の効果を発現する材料で形成しても良く、その方法は、フィルムの主原料に抗菌、芳香、及び脱臭の効果を発現する原料を練りこんで成形したり、抗菌、芳香、脱臭及び防虫の効果を発現する原料で形成された別体の繊維などを使用したり、抗菌、芳香、及び脱臭の効果を発現する塗料を塗布するなどの手段を採用することができる。抗菌効果を発現する材料として酸化チタン、キトサンなど、芳香効果を発現する材料として天然のヒノキやヒバなどの植物抽出エキスなど、各種化学合成材料、脱臭効果を発現する材料として活性炭などの高表面積物質、各種化学吸着剤、防虫効果を発現する材料としてショウノウやナフタリンなどの化学物質を挙げることができる。
【００４８】
図３に示すように、第一壁面部１ａと第二壁面部１ｂの少なくともいずれか一方が、家庭用薄葉紙収納箱側にたわんでいることで、家庭用薄葉紙収納箱を固定すると同時に、内包されている家庭用薄葉紙が、第四壁面部１ｄ側に片寄ることを防ぐようにしている。この効果により、家庭用薄葉紙収納箱を立てた状態でも、家庭用薄葉紙が簡単に取出せるようになっている。
【００４９】
第一壁面部１ａ、第二壁面部１ｂ、第三壁面部１ｃ、第四壁面部１ｄ、第五壁面部１ｅ、面取り部３にオーバープリントニス、ビニール引き、フィルム貼り、プレスコート等の表面加工で表面に光沢を備えさせることが可能であり、マットニス、マットビニール、マットフィルム貼り等の加工で、表面の艶消し加工を備えることもできる。また、エンボス加工で模様を型押しすることや和紙素材の利用などにより、いろいろな表面加工を施すことが可能である。贈答品や広告の印刷された家庭用薄葉紙収納箱を収納し、広告を見えないようにすると同時に美観を高め、各個人の趣向、インテリアにあった加工の施した家庭用薄葉紙収納箱用カバー８０を使用することで、各使用者の家庭用薄葉紙収納箱の利便性だけでなく、趣向性も高めることができる。
【００５０】
本発明の家庭用薄葉紙収納箱用カバーは、紙製のため、安価に製造でき、各個人の趣向に合わせたいろいろな表面加工を施し、使用者の満足度を高めることができる。
【００５１】
本発明の家庭用薄葉紙収納箱用カバー８０を使用することで、中に入れる家庭用薄葉紙収納箱そのものには図柄を印刷する必要がなくなり、印刷がないことで、家庭用薄葉紙収納箱を安価に製造でき、インクを使用しないことで、インクを節約できる。また、フィルムシート１００を使用することにより、家庭用薄葉紙収納箱の取り出し口に通常備わっているフィルムを必要とせず、紙だけで家庭用薄葉紙収納箱を作ることができ、環境にもやさしい家庭用薄葉紙収納箱が製造できるようになる。
【００５２】
本発明の家庭用薄葉紙収納箱用カバーの素材として、紙の種類のうち厚紙、和紙、合成紙などを用いてもよいし、布、皮、合成皮革、セラミック、ガラス、木、プラスチックのほか、ポリエチレンテレフタレート、ポリプロピレン、ポリ塩化ビニル、生分解性プラスチックなどの高分子化合物を用いてもよい。
【００５３】
家庭用薄葉紙収納箱用カバーをセラミック、ガラス、木、プラスチック等により作製すると、高級感が出るとともに耐久性が向上する。また、プラスチック製であれば、安価に木目調や大理石調の模様を出すことができる。
【００５４】
本発明の家庭用薄葉紙収納箱用カバー８０は、表面に樹脂（フッ素樹脂）、高分子化合物、例えばポリエチレンテレフタレート、ポリテトラフルオロエチレン、ポリエチレンなどをコーティングすることにより、耐水、耐油、撥水の機能を付加することができる。
【００５５】
図９（ａ）に本発明の家庭用薄葉紙収納箱カバーを本棚で使用した場合の模式図を示す。本発明の家庭用薄葉紙収納箱カバーは、立てて使用でき、本棚のような狭い場所にすっきりと収納が可能であり、利便性が高い。図９（ｂ）に本棚の左側から見た模式図を示す。本棚に収納された、本発明の家庭用薄葉紙箱用カバーは、家庭用薄葉紙を取り出す際には、本棚から引き出され、取り出した後は、本棚に収納しても良いし、引き出したままでも良い。
【００５６】
図１０に第一壁面部１ａと第二壁面部１ｂの両方に家庭用薄葉紙の取り出し口２を備えた場合の展開図を示す。取り出し口２が第一壁面部１ａと第二壁面部１ｂにあることで、立てて使用する際に、家庭用薄葉紙が、左右どちらからでも取り出し可能になり、利便性が向上する。
【産業上の利用可能性】
【００５７】
本発明の家庭用薄葉紙収納箱用カバーを使用することで、家庭用薄葉紙収納箱そのものには何も印刷する必要がなく、家庭用薄葉紙収納箱を安価に製造できる。インクを使用しないこと及び家庭用薄葉紙収納箱の取り出し口にフィルムを必要としないことで、紙だけで家庭用薄葉紙収納箱を作製でき、安価で環境に配慮した家庭用薄葉紙収納箱が製造できる。本発明の家庭用薄葉紙収納箱用カバーは紙で作製することも可能であり、安価に製造でき、フィルムシートも紙やフィルム等で構成され、繰返し使用が可能になっている。以上のことより、本発明の家庭用薄葉紙収納箱用カバーは、安価に大量生産が可能であり、繰返し利用できることで環境に配慮した製品であるといえる。
【図面の簡単な説明】
【００５８】
【図１】本発明の家庭用薄葉紙収納箱用カバーの図である。
【図２】本発明の家庭用薄葉紙収納箱用カバーの展開図の一例である。
【図３】本発明の家庭用薄葉紙収納箱用カバーの折り返し部を示す断面図である。
【図４】本発明の家庭用薄葉紙収納箱用カバーを開口部側から見た図である。
【図５】本発明の家庭用薄葉紙収納箱用カバーを第五壁面部側から見た図である。
【図６】フィルムシートの模式図である。
【図７】折り返しロック部と段差部の拡大図である。
【図８】シートの模式図である。
【図９】本棚での使用した場合の模式図である。
【図１０】本発明の家庭用薄葉紙収納箱用カバーの展開図の一例である。
【符号の説明】
【００５９】
１ａ：第一壁面部、１ｂ：第二壁面部、１ｃ：第三壁面部、１ｄ：第四壁面部、１ｅ：第五壁面部、１ｆ：開口部、２：取り出し口、３：面取り部、４：面取り部用カーブ部、１０ａ：糊付け部、１０ｂ：糊付け部、１０ｃ：折り返し部（第一折り返し部）、２０ａ：糊付け部、２０ｂ：糊付け部、２０ｃ：折り返し部（第二折り返し部）、３０ａ：折り返し部（第三折り返し部）、３０ｂ：折り返し部（第四折り返し部）、３１：段差部、４０：折り返し部ロック部、４１：補助折り曲げ線部（リード罫線部）、４１ａ：ミシン目、４５：折り曲げ線、５０：フィルムシート取り出し時指掛け部、６０：家庭用薄葉紙収納箱、７０：面取り部用カーブ部、７１：スリット、７２：フィルム部、７３：紙製枠、８０：家庭用薄葉紙収納箱用カバー、９０：本、１００：フィルムシート、１０１：シート。
【図１】
2008213889.tif 000003
【図２】
2008213889.tif 000004
【図３】
2008213889.tif 000005
【図４】
2008213889.tif 000006
【図５】
2008213889.tif 000007
【図６】
2008213889.tif 000008
【図７】
2008213889.tif 000009
【図８】
2008213889.tif 000010
【図９】
2008213889.tif 000011
【図１０】
2008213889.tif 000012